(57)【要約】【課題】コンテンツリストを確認することなくどの番組において新規コンテンツが追加されているかを認識可能なコンテンツ再生装置を提供すること。【解決手段】インターネットを介してコンテンツ提供装置から提供されるコンテンツを再生可能なコンテンツ再生装置であって、再生済みのコンテンツに関する情報を記憶する記憶部と、前記コンテンツ提供装置から番組リスト及び各番組のコンテンツリストを受信する通信部と、前記各番組のコンテンツリストと前記再生済みのコンテンツに関する情報とに基づいて新規コンテンツを含む番組があるか否かを判定する制御部と、を備え、前記制御部は、表示部に前記番組リストを表示するとともに、前記番組リストにおいて新規コンテンツを含む番組が特定可能な所定の表示を行うこととする。【選択図】図１
2013187754.tif 000002
【特許請求の範囲】
【請求項１】
インターネットを介してコンテンツ提供装置から提供されるコンテンツを再生可能なコンテンツ再生装置であって、
再生済みのコンテンツに関する情報を記憶する記憶部と、
前記コンテンツ提供装置から番組リスト及び各番組のコンテンツリストを受信する通信部と、
前記各番組のコンテンツリストと前記再生済みのコンテンツに関する情報とに基づいて新規コンテンツを含む番組があるか否かを判定する制御部と、を備え、
前記制御部は、表示部に前記番組リストを表示するとともに、前記番組リストにおいて新規コンテンツを含む番組が特定可能な所定の表示を行うことを特徴とするコンテンツ再生装置。
【請求項２】
前記制御部は前記所定の表示を、新規コンテンツを含む番組のタイトル表示に重畳表示することを特徴とするコンテンツ再生装置。
【請求項３】
前記通信部は前記コンテンツ提供装置から複数の番組リストを受信し、前記所定の表示は、前記複数の番組リストから一の番組リストを選択するためのグループのタイトル表示にも重畳表示されることを特徴とする請求項２に記載のコンテンツ再生装置。
【請求項４】
前記所定の表示が重畳表示される番組のタイトル表示は、ユーザによって選択された一又は複数の番組のみを含むお気に入り番組リストに含まれる番組のタイトル表示であることを特徴とする請求項２又は請求項３に記載のコンテンツ再生装置。
【請求項５】
前記所定の表示が重畳表示されるグループのタイトル表示は、ユーザによって選択された一又は複数の番組のみを含むお気に入り番組リストを選択するためのグループのタイトル表示であることを特徴とする請求項３に記載のコンテンツ再生装置。
【請求項６】
前記所定の表示は、新規コンテンツの個数を示す表示及び／又は新規コンテンツが含まれることを示す表示であることを特徴とする請求項１〜請求項５のいずれか１項に記載のコンテンツ再生装置。
【請求項７】
前記制御部は前記新規コンテンツを第１の新規コンテンツと第２の新規コンテンツとに分類し、前記所定の表示は前記第１の新規コンテンツの個数を示す表示及び／又は第１の新規コンテンツが含まれることを示す表示と、前記第２の新規コンテンツの個数を示す表示及び／又は第２の新規コンテンツが含まれることを示す表示と、であることを特徴とする請求項１〜請求項５のいずれか１項に記載のコンテンツ再生装置。
【請求項８】
前記制御部は前記新規コンテンツのうち、所定期間再生されていないコンテンツのデータを取得することを特徴とする請求項１〜請求項７のいずれか１項に記載のコンテンツ再生装置。
【発明の詳細な説明】
【技術分野】
【０００１】
本発明は、コンテンツ再生装置に関し、特に、インターネット接続機能を有し、インターネットを介して提供されるコンテンツを再生可能なコンテンツ再生装置に関する。
【背景技術】
【０００２】
近年、インターネットなどのネットワークを通じて映像や音声などのコンテンツデータを転送・再生する方式の一種としてストリーミング配信が普及している。ストリーミング方式は、サーバ装置（コンテンツ提供装置）が、オンデマンド形式でコンテンツ再生装置にコンテンツのストリーミングデータを送信しながら、コンテンツ再生装置が、受信済みのストリーミングデータに基づいてコンテンツを再生する方式である。従ってストリーミング配信では、コンテンツデータを受信しながらリアルタイムに再生する。ダウンロードの待ち時間中にコンテンツが再生されるので待ち時間の有効利用が可能である。
【０００３】
サーバ装置（コンテンツ提供装置）はコンテンツ再生装置に対して提供可能な番組リスト及び各番組のコンテンツリストを提供し、コンテンツ再生装置が選択したコンテンツをコンテンツ再生装置に提供する。コンテンツ再生装置に対して提供する番組リスト及び各番組のコンテンツリストは夫々一つに限られず所定の基準に基づいて生成された複数の番組リスト及び各番組のコンテンツリストが提供されることがある。
【０００４】
ところでサーバ装置が提供する番組は任意の頻度でコンテンツが更新（新たなコンテンツが追加）されることがある。しかしながらコンテンツが更新されたか否かはユーザ自身がコンテンツリストを見て判断するしかなかった。
【０００５】
そこで特許文献１ではコンテンツが更新された時間とコンテンツを再生した時間とを比較して更新時間が再生時間よりも後である場合に、コンテンツが更新された旨の更新情報をユーザに通知することが開示している。これによりユーザに新規コンテンツの有無を事前に通知することができることとしている。
【先行技術文献】
【特許文献】
【０００６】
【特許文献１】特開２０１１−２２３２８３号公報
【発明の概要】
【発明が解決しようとする課題】
【０００７】
しかしながら上記特許文献１では、表示画面に図３に示すような番組リストが表示されている状態において、どの番組で新規コンテンツが追加されているかを知ることはできない。すなわち、図３の番組リストから新規コンテンツの有無を確認したい番組を選択し、各番組にコンテンツリストを表示させることによって新規コンテンツの有無を確認しなければならず手間であった。
【０００８】
本発明は、上述した問題点に鑑み、コンテンツリストを確認することなくどの番組において新規コンテンツが追加されているかを認識可能なコンテンツ再生装置を提供することを目的とする。
【課題を解決するための手段】
【０００９】
上記目的を達成するために本発明のコンテンツ再生装置は、インターネットを介してコンテンツ提供装置から提供されるコンテンツを再生可能なコンテンツ再生装置であって、再生済みのコンテンツに関する情報を記憶する記憶部と、前記コンテンツ提供装置から番組リスト及び各番組のコンテンツリストを受信する通信部と、前記各番組のコンテンツリストと前記再生済みのコンテンツに関する情報とに基づいて新規コンテンツを含む番組があるか否かを判定する制御部と、を備え、前記制御部は、表示部に前記番組リストを表示するとともに、前記番組リストにおいて新規コンテンツを含む番組が特定可能な所定の表示を行うことを特徴とする。
【００１０】
この構成によると、番組のコンテンツリストに新規コンテンツが含まれるときに番組リストにおいて新規コンテンツを含む番組が特定可能な所定の表示が行われる。従って、ユーザは番組リストを見るだけでどの番組に新規コンテンツが含まれているかを判断することができる。
【００１１】
また本発明は、上記構成のコンテンツ再生装置において、前記制御部は前記所定の表示を、新規コンテンツを含む番組のタイトル表示に重畳表示することが望ましい。
【００１２】
また本発明は、上記構成のコンテンツ再生装置において、前記通信部は前記コンテンツ提供装置から複数の番組リストを受信し、前記所定の表示は、前記複数の番組リストから一の番組リストを選択するためのグループのタイトル表示にも重畳表示されることが望ましい。
【００１３】
また本発明は、上記構成のコンテンツ再生装置において、前記所定の表示が重畳表示される番組のタイトル表示は、ユーザによって選択された一又は複数の番組のみを含むお気に入り番組リストに含まれる番組のタイトル表示であることが望ましい。
【００１４】
また本発明は、上記構成のコンテンツ再生装置において、前記所定の表示が重畳表示されるグループのタイトル表示は、ユーザによって選択された一又は複数の番組のみを含むお気に入り番組リストを選択するためのグループのタイトル表示であることが望ましい。
【００１５】
また本発明は、上記構成のコンテンツ再生装置において、前記所定の表示は、新規コンテンツの個数を示す表示及び／又は新規コンテンツが含まれることを示す表示であることが望ましい。
【００１６】
また本発明は、上記構成のコンテンツ再生装置において、前記制御部は前記新規コンテンツを第１の新規コンテンツと第２の新規コンテンツとに分類し、前記所定の表示は前記第１の新規コンテンツの個数を示す表示及び／又は第１の新規コンテンツが含まれることを示す表示と、前記第２の新規コンテンツの個数を示す表示及び／又は第２の新規コンテンツが含まれることを示す表示と、であることが望ましい。
【００１７】
また本発明は、上記構成のコンテンツ再生装置において、前記制御部は前記新規コンテンツのうち、所定期間再生されていないコンテンツのデータを取得することが望ましい。
【発明の効果】
【００１８】
本発明によると、ユーザは番組リストを見るだけでどの番組に新規コンテンツが含まれているかを判断することができるので番組毎にコンテンツリストを表示させて新規コンテンツの有無を確認する必要がなく、ユーザの負担を低減することができる。
【図面の簡単な説明】
【００１９】
【図１】は、本発明のコンテンツ再生装置の構成の一例を示すブロック図である。
【図２】は、本発明のコンテンツ再生装置の制御部が行う処理の一例を示す第１のフローチャートである。
【図３】は、表示部に表示されるブラウザ画面の一例を示す第１の図である。
【図４】は、表示部に表示されるブラウザ画面の一例を示す第２の図である。
【図５】は、記憶部が記憶する再生記録コンテンツリストの一例を示す図である。
【図６】は、表示部に表示されるブラウザ画面の一例を示す第３の図である。
【図７】は、本発明のコンテンツ再生装置の制御部が行う処理の一例を示す第２のフローチャートである。
【図８】は、表示部に表示されるブラウザ画面の一例を示す第４の図である。
【図９】は、本発明のコンテンツ再生装置の制御部が行う処理の一例を示す第３のフローチャートである。
【図１０】は、表示部に表示されるブラウザ画面の一例を示す第５の図である。
【発明を実施するための形態】
【００２０】
[第１実施形態]
以下に本発明の実施形態について図面を参照して説明する。但し、以下に示す実施形態は、本発明の技術的思想を具体化するために本発明のコンテンツ再生装置の一例を示すものであって、本発明をこのコンテンツ再生装置に特定することを意図するものではなく、特許請求の範囲に含まれるその他の実施形態のコンテンツ再生装置にも等しく適応し得るものである。
【００２１】
図１は本発明のコンテンツ再生装置１の構成を示すブロック図である。コンテンツ再生装置１は制御部１１、表示部１２、操作部１３、通信部１４、記憶部１５を備えている。なお、本発明のコンテンツ再生装置１はインターネットを介してコンテンツ提供装置２に接続されている。そしてコンテンツ提供装置２はコンテンツ再生装置１に対して番組リスト（複数の番組の一覧を示すリスト）、コンテンツリスト（各番組に含まれるコンテンツの一覧を示すリスト）を提供する。また、コンテンツ提供装置２はコンテンツ再生装置１の要求に応じてコンテンツをストリーミング配信する。コンテンツ再生装置１はコンテンツ提供装置２により配信されたコンテンツを再生し、後述する表示部１２に表示する。
【００２２】
制御部１１はコンテンツ再生装置１全体を総括的に制御する制御手段である。制御部１１はＣＰＵとＲＯＭとＲＡＭ（いずれも不図示）とを含んでいる。ＲＯＭには制御部１１が実行するプログラム、プログラムの実行に必要なパラメータやデータが記憶されている。ＣＰＵはＲＯＭに記憶されている各種プログラムを実行する。ＲＡＭは各種処理の過程で得られるデータや各種処理の結果得られるデータを一時的に格納する。これらＣＰＵ、ＲＡＭ、ＲＯＭ等は、バスを介して接続されている。なお、ＣＰＵ、ＲＯＭ及びＲＡＭはこれらの一部または全部を１チップに集積化しても構わない。
【００２３】
表示部１２はコンテンツ提供装置２から提供される番組リスト及びコンテンツリストに基づいて番組リスト及びコンテンツリストを表示する表示手段である（図３、図４参照）。また表示部１２はコンテンツ提供装置２から配信されるコンテンツを表示するための表示手段でもある。表示部１２はコンテンツ再生装置１が備えることとしてもよいし、コンテンツ再生装置１と有線又は無線によって接続された外部表示装置であってもよい。
【００２４】
操作部１３はユーザがメニューを操作したり、番組リストの表示を切り替えたり、コンテンツリストの表示を切り替えたりするための操作手段である。また、操作部１３はコンテンツリストの中からコンテンツを選択したり、選択したコンテンツの再生、停止等を操作する操作手段としても機能する。操作部１３としては、コンテンツ再生装置１本体に各種のキーやボタンを設けてもよいし、表示部１２にタッチパネル機能を付加してもよい。また、コンテンツ再生装置１本体を遠隔操作するためのリモートコントローラを操作部１３として用いても構わない。
【００２５】
通信部１４はインターネットを介してコンテンツ提供装置２の通信部２４と通信を行う。通信部１４はコンテンツ提供装置２から番組リスト、コンテンツリストやコンテンツのパケットデータを受信する。なお受信したコンテンツのパケットデータは一時的にＲＡＭに保管され、画面が表示された時点で消去される。
【００２６】
記憶部１５は再生済みコンテンツに関する情報が記憶されている。例えばコンテンツ提供装置２から提供されたコンテンツリストを所定のタイミングで記憶したときに当該コンテンツリストを再生済みコンテンツに関する情報として記憶する。所定のタイミングとは、例えばコンテンツを現に再生したとき（なお、「コンテンツを現に再生した」とはコンテンツの再生を開始したときであってもよいし、コンテンツの再生を完了したときであってもよい。）、コンテンツ提供装置２からコンテンツリストを取得（受信）したとき、ユーザが番組リストから一の番組を選択しその番組のコンテンツリストを表示部１２に表示させたときなど任意のタイミングとすればよい。
【００２７】
つまり本実施形態において「再生済み」とは現に再生されたことを問うものではなく、再生したとみなす場合を含めることとしてもよい。コンテンツリストを記憶するタイミングをコンテンツが現に再生されたときとする場合は、コンテンツ毎に現に再生したか否かを示す情報を各コンテンツに対応付けて記憶することとしてもよい（図５参照、詳細は後述）。
【００２８】
またコンテンツリストを番組リストの番組毎に独立して記憶することとしてもよいし、番組リスト単位で記憶することとしてもよい。以下、コンテンツが現に再生されたときに、再生されたことを示す情報をコンテンツ毎にコンテンツリストに付加し、記憶する場合を例に説明する。
【００２９】
コンテンツリストを番組リストの番組毎に独立に記憶するとは、例えば図３に示す番組リストにおいて番組Ａを選択して図４に示すようなコンテンツリストを表示し、いずれかのコンテンツを再生したときに番組Ａのエピソード１９５〜２００を再生済みコンテンツに関する情報として記憶するが、番組Ｂ〜番組Ｈのコンテンツリストは再生済みコンテンツに関する情報として記憶しないことである。これによりコンテンツリストを表示させなければその番組のコンテンツリストは再生済みコンテンツに関する情報として記憶されない。つまりコンテンツリストを表示しない限り新規コンテンツの存在が表示されるので、ユーザはどのコンテンツリストに自身が確認していない新規コンテンツが含まれるかを認識することができる。
【００３０】
これに対して番組リスト単位で記憶するとは、例えば図３に示す番組リストにおいて番組Ａを選択して図４に示すようなコンテンツリストを表示し、いずれかのコンテンツを再生したときに番組Ａのエピソード１９５〜２００を再生済みコンテンツに関する情報として記憶するとともに、番組Ｂ〜番組Ｈのコンテンツリストを再生済みコンテンツに関する情報として記憶することである。これによりユーザは前回のログイン以降に追加された新規コンテンツの有無を認識することができる。
【００３１】
なお、記憶部１５としてはＨＤＤ、ＮＡＮＤフラッシュやＳＤメモリカードなどの記憶媒体を好適に用いることができる。記憶部１５はコンテンツ再生装置１に内蔵しても構わないし、コンテンツ再生装置装置１に着脱可能な構成としても構わない。
【００３２】
図２は本発明のコンテンツ再生装置１の制御部１１が行う処理の流れを示す第１のフローチャートである。上述したようにコンテンツ提供装置２はコンテンツ再生装置１に対してコンテンツ等を提供する。すなわち、ユーザはコンテンツ提供装置２にログイン（アクセス）することによってコンテンツ提供装置２からコンテンツ等の提供を受けることができる。以下のフローチャートはログイン後に制御部１１が行う処理の流れを示すフローチャートである。なお、本実施形態において制御部１１はコンテンツが現に再生されたときに、再生されたことを示す情報をコンテンツ毎に付加するとともに番組毎に独立してコンテンツリストを再生済みコンテンツに関する情報として記憶部１５に記憶するものとして説明する。
【００３３】
ステップＳ０１において制御部１１は通信部１４を介して番組リスト及びコンテンツリストを取得する。取得する番組リストは一つに限られるものではなく、複数の番組リストを取得することとしてもよい。本実施形態では取得する番組リストとして、ＡＬＬ（全）番組リスト、Ｒｅｃｏｍｍｅｎｄａｔｉｏｎ（推奨）番組リスト、Ｇｅｎｒｅ（ジャンル）番組リスト、Ｆａｖｏｒｉｔｅｓ（お気に入り）番組リストを例に以下説明を行う。
【００３４】
ＡＬＬ（全）番組リストはコンテンツ提供装置２が提供可能な全ての番組のリストである。Ｒｅｃｏｍｍｅｎｄａｔｉｏｎ（推奨）番組リスト（以下、「Ｒｅｃｏｍｍｅｎｄａｔｉｏｎ（推奨）番組リスト」を「Ｒｅｃｏｍ番組リスト」という。なお、各図において「Ｒｅｃｏｍｍｅｎｄａｔｉｏｎ」を「Ｒｅｃｏｍ」と略す。）は例えばホームページの運営者が選択したお勧めの番組のリストである。Ｇｅｎｒｅ（ジャンル）番組リストは番組をジャンル毎（例えば英会話番組、バラエティ番組等）に分類・整理された番組リストである。
【００３５】
Ｆａｖｏｒｉｔｅｓ（お気に入り）番組リストは、コンテンツ提供装置２が提供可能な番組からユーザが選択した一又は複数の番組のリストである。コンテンツ提供装置２の記憶部（不図示）はユーザ毎にＦａｖｏｒｉｔｅｓ番組リストを記憶している。具体的にはコンテンツ再生装置１のＭＡＣアドレスに対応付けてＦａｖｏｒｉｔｅｓ番組リストを記憶しており、ユーザがログインしてきたときに各ユーザ（ＭＡＣアドレス）に対応づけられたＦａｖｏｒｉｔｅｓ番組リストを提供する。制御部１１はＦａｖｏｒｉｔｅｓタブが選択されたときに、コンテンツ提供装置２から提供されたＦａｖｏｒｉｔｅｓ番組リストを取得し、表示部１２に表示する（ステップＳ０３〜ステップＳ０６参照）。
【００３６】
図３はユーザがログインしたときに表示部１２に表示されるブラウザ画面の一例を示す第１の図である。図３に示すようにブラウザ画面の上部にはグループタブが表示されている。そして各グループタブを選択することにより、上述したように一定の基準に基づいて選択、配置、分類された番組リストが表示される。図３はＦａｖｏｒｉｔｅｓタブが選択されているときの図であるが、本実施形態においてユーザのログイン時にはＡＬＬタブが選択され、初期画面としてコンテンツ提供装置２が提供可能な全ての番組のリストが表示されているものとする。
【００３７】
本実施形態においてグループタブとは選択することにより番組リストを切り替えることができるものであればよく、方式は問われない。すなわち図３に示すようにタブ表示に限られず、例えばフォルダ表示としてもよい。
【００３８】
ステップＳ０２において制御部１１はＦａｖｏｒｉｔｅｓタブが選択されたか否かを判定する。Ｆａｖｏｒｉｔｅｓタブが選択されていれば（ステップＳ０２のＹ）ステップＳ０３に進み、Ｆａｖｏｒｉｔｅｓタブが選択されていなければ（ステップＳ０２のＮ）ステップＳ０２に戻る。
【００３９】
ステップＳ０３において制御部１１は再生済みコンテンツに関する情報を取得する。本実施形態において制御部１１は再生済みコンテンツに関する情報として記憶部１５に記憶されている再生記録コンテンツリスト（図５参照）を取得するものとする。各コンテンツが現に再生済みか否かの記憶方法は特に限られないが、例えば再生済みでない（未再生）のコンテンツには「０」、再生済みコンテンツには「１」（図５参照）を付与して記憶することとすればよい。
【００４０】
なお、本フローチャートにおいて制御部１１はステップＳ０１において番組リスト及びコンテンツリストを取得し、ステップＳ０３において再生記録コンテンツリストを取得しているが、制御部１１がＦａｖｏｒｉｔｅｓ番組リスト、コンテンツリスト、再生記録コンテンツリストを取得するタイミングは当該タイミングとは限られない。定期的或いは不定期に取得されてもよく、定期的或いは不定期に複数回情報を取得する場合には、取得された情報のうち最も新しい情報を使用することとしてもよい。後述する各番組のロゴの取得（ステップＳ０６、ステップＳ０７）についても同様である。
【００４１】
ステップＳ０４において制御部１１はＦａｖｏｒｉｔｅｓ番組リストの各番組のコンテンツリストと再生記録コンテンツリストとに基づいてＦａｖｏｒｉｔｅｓ番組リストに新規コンテンツを含む番組があるか否かを判定する。より詳細には通信部１４を介して取得した番組Ａのコンテンツリストに新規コンテンツが含まれるか否かを判定する。図４と図５を比較する場合を例に説明すると、通信部１４を介して取得した番組Ａのコンテンツリストにはエピソード２３０が存在しているが、記憶部１５から取得した番組Ａの再生記録コンテンツリストにはエピソード２００が存在していない。従って、制御部１１はエピソード２００を新規コンテンツであると特定し、番組Ａは新規コンテンツを含む番組であると判定する。
【００４２】
なお、図４に示すコンテンツリストにはエピソード１９４が存在しておらず、図５に示すコンテンツリストにはエピソード１９４が存在しているが、通信部１４を介して取得した番組Ａのコンテンツリストに新規コンテンツが含まれるものではないため本ステップにおいてエピソード１９４は新規コンテンツであると特定されない。
【００４３】
Ｆａｖｏｒｉｔｅｓ番組リストにおいて新規コンテンツを含む番組があれば（ステップＳ０４のＹ）ステップＳ０５に進んで新規コンテンツを含む番組を特定してステップＳ０６に進み、Ｆａｖｏｒｉｔｅｓ番組リストにおいて新規コンテンツを含む番組がなければ（ステップＳ０４のＮ）ステップＳ０７に進み、各番組のロゴを取得し、表示部１２にＦａｖｏｒｉｔｅｓ番組リストを表示する。
【００４４】
ステップＳ０６において制御部１１はＦａｖｏｒｉｔｅｓ番組リストの各番組のロゴ（タイトル表示）を取得し、Ｆａｖｏｒｉｔｅｓ番組リストを表示部１２に表示するとともに、新規コンテンツを含む番組のロゴに所定の表示を重畳表示する。なお、表示部１２に表示されるＦａｖｏｒｉｔｅｓ番組リストは上述したようにコンテンツ提供装置２から取得したＦａｖｏｒｉｔｅｓ番組リストである。ここで所定の表示とは例えば新規コンテンツの個数を示す表示及び／又は新規コンテンツが含まれることを示す表示である。新規コンテンツの個数を示す表示としては、例えば「１つの新規エピソードがあります」と表示する。新規コンテンツが含まれることを示す表示としては、例えば図６に示すように「ＮＥＷ」アイコンを番組ロゴ（図６における番組Ａ、番組Ｆの番組ロゴ）に重畳表示する。
【００４５】
本実施形態において番組のロゴ（番組のタイトル表示）とは他の番組との差別化を図るために番組の作成者等により作成されたものである。具体的には、番組名や番組の内容その他文字や文字列を図案化、装飾化したものである。なお、ロゴには図形、記号、画像等が付加されていてもよい。
【００４６】
本実施形態によれば、ユーザは番組リストを見るだけでどの番組に新規コンテンツが含まれているかを判断することができるので番組毎に新規コンテンツの有無を確認する必要がなく、ユーザの負担を低減することができる。
【００４７】
また、所定の表示が重畳表示される番組リストが、Ｆａｖｏｒｉｔｅｓ（お気に入り）番組リストなので、ユーザがよく視聴する番組に絞って新規エピソード（新規コンテンツ）が追加されているか否かをユーザに認識させることができる。
【００４８】
[第２実施形態]
図７は本発明のコンテンツ再生装置１の制御部１１が行う処理の流れを示す第２のフローチャートである。なお本実施形態のステップＳ２１〜Ｓ２４、ステップＳ２８は夫々第１実施形態のステップＳ０１〜０４、ステップＳ０７と同様であるため説明を省略する。
【００４９】
ステップＳ２５において制御部１１は新規コンテンツを第１の新規コンテンツと第２の新規コンテンツに分類する。以下分類方法について説明する。新規コンテンツを第１の新規コンテンツと第２の新規コンテンツに分類する第１の方法は新規コンテンツとして特定された回数に基づく方法である。例えば新規コンテンツとして特定された回数が１回（初回）のコンテンツを第１の新規コンテンツとし、新規コンテンツとして特定された回数が２回以上のコンテンツを第２の新規コンテンツとする。すなわち、上記第１実施形態によればログイン時にあるコンテンツ（コンテンツＸとする。）が新規コンテンツであると特定されたが、その際にコンテンツＸが再生されなかった場合、次回のログイン時にもコンテンツＸは新規コンテンツであると特定されることになる。
【００５０】
しかしながらユーザはコンテンツＸが存在することを既に認識している可能性が高く、改めて新規コンテンツであると特定すると、ユーザはその番組に自身が認識していない新規コンテンツが含まれると勘違いする可能性がある。そこで初めて新規コンテンツであると特定されたコンテンツを第１の新規コンテンツとし、２回以上新規コンテンツであると特定されたコンテンツを第２の新規コンテンツとする。これによりユーザが認識している可能性が高い新規コンテンツと認識してない可能性が高い新規コンテンツとを夫々特定することができる。
【００５１】
新規コンテンツを第１の新規コンテンツと第２の新規コンテンツに分類する第２の方法は新規コンテンツとして特定された期間に基づく方法である。例えば新規コンテンツとして特定された期間が所定期間未満のコンテンツを第１の新規コンテンツとし、新規コンテンツとして特定された期間が所定期間以上のコンテンツを第２の新規コンテンツとする。
【００５２】
すなわち、上記第１の方法によれば接続障害等の理由により短期間に複数回ログインを行うなどの場合に、番組に新規コンテンツが含まれていることを認識していないにも関わらず、所定の表示が行われないことになる。そこで新規コンテンツとして特定された期間に基づいて新規コンテンツを第１の新規コンテンツと第２の新規コンテンツとに分類する。これにより番組に新規コンテンツが含まれていることをユーザに確実に認識させることができる。また、ユーザが認識している可能性が高い新規コンテンツと認識してない可能性が高い新規コンテンツとを特定することができる。
【００５３】
以上分類方法について説明したが分類方法はこれに限られるものではなく、ユーザが認識している可能性が高い新規コンテンツと認識していない可能性が高い新規コンテンツとを分類可能な方法であればよい。
【００５４】
ステップＳ２６において制御部１１は第１の新規コンテンツ及び／又は第２の新規コンテンツを含む番組を特定する。そしてステップＳ２７において制御部１１はＦａｖｏｒｉｔｅｓ番組リストの各番組のロゴ（タイトル表示）を取得し、Ｆａｖｏｒｉｔｅｓ番組リストを表示部１２に表示するとともに、第１の新規コンテンツを含む番組のロゴに第１の所定の表示を重畳表示し、また、制御部１１は第２の新規コンテンツを含む番組のロゴに第２の所定の表示を重畳表示し、また、制御部１１は第１及び第２の新規コンテンツを含む番組のロゴに第１及び第２の所定の表示を重畳表示する。なお、表示部１２に表示されるＦａｖｏｒｉｔｅｓ番組リストは第１実施形態と同様コンテンツ提供装置２から取得したＦａｖｏｒｉｔｅｓ番組リストである。
【００５５】
第１の所定の表示と第２の所定の表示とは異なる表示であり例えば第１の所定の表示は上記第１実施形態の所定の表示と同様（図８の番組Ａのロゴ参照）とし、第２の所定の表示は未再生コンテンツの個数及び／又は未再生コンテンツが含まれることを示す表示とすればよい。未再生コンテンツの個数を示す表示としては、例えば「２つの未再生エピソードがあります」と表示する。未再生コンテンツが含まれることを示す表示としては、例えば図８に示すように「未再生」アイコンを番組ロゴ（図８における番組Ｂの番組ロゴ）に重畳表示する。また、第１の新規コンテンツと第２の新規コンテンツを共に含む番組には第１の所定の表示及び第２の所定の表示を重畳表示することとする（図８における番組Ｅの番組ロゴ参照）。
【００５６】
なお、本実施形態において第１の新規コンテンツと第２の新規コンテンツを共に含む番組には第１の所定の表示及び第２の所定の表示を重畳表示することとしているが第１の所定表示のみを重畳表示することとしてもよい。ユーザは第２の新規コンテンツが番組に含まれていることについて認識している可能性が高いからである。
【００５７】
本実施形態によれば第１実施形態と同様の効果を奏する。加えて、新規コンテンツをユーザが認識していない可能性が高い新規コンテンツと認識している可能性が高いとに分類し、夫々のコンテンツに基づいて所定の表示を行うので、ユーザは番組リストを見るだけでどの番組に自身が認識していない新規コンテンツが含まれるかを判断することができる。従ってユーザの負担を低減することができる。
【００５８】
[第３実施形態]
図９は本発明のコンテンツ再生装置１の制御部１１が行う処理の流れを示す第３のフローチャートである。なお本実施形態のステップＳ４１〜Ｓ４７は第１実施形態のステップＳ０１〜０７と同様であるため説明を省略する。
【００５９】
ステップＳ４８において制御部１１は所定期間再生されていない（未再生の）新規コンテンツがあるか否かを判定する。所定期間再生されていない新規コンテンツがあれば（ステップS４８のＹ）ステップＳ４９に進み当該新規コンテンツのデータをダウンロードして保存する。一方、所定期間再生されていない新規コンテンツがなければ（ステップＳ４８のＮ）処理を終了する。
【００６０】
なお、データが保存された新規コンテンツのリストは記憶部１５に保存される。データが保存された新規コンテンツのリストは、表示部１２に表示されるコンテンツリストに重畳表示することとしてもよいし、ユーザの要求に応じて表示されることとしてもよい。また、ダウンロードした新規コンテンツのデータは一定期間経過後削除することとしてもよい。これにより新規コンテンツのデータが蓄積され、保存容量を超過することを防ぐことができる。
【００６１】
なお、第２実施形態において新規コンテンツを第１の新規コンテンツと第２の新規コンテンツとを新規コンテンツとして特定された期間に基づいて分類する場合の所定期間と本実施形態において新規コンテンツをダウンロードするか否かの基準となる所定期間とは同一の期間としてもよいし、異なる期間としてもよい。
【００６２】
本実施形態によれば第１実施形態と同様の効果を奏する。加えて、所定期間再生されていない新規コンテンツのデータをダウンロードして保存するのでユーザが新規コンテンツを再生できなくなるのを防ぐことができる。すなわち、コンテンツ提供装置２から提供される各番組において各コンテンツは一定期間提供された後、コンテンツリストから削除される（提供が終了される）ことがある。従ってユーザが新規コンテンツを提供期間内に再生しなければ当該新規コンテンツを視聴することができなくなる。そこで本実施形態では所定期間再生されていない新規コンテンツのデータをダウンロードして保存するので、当該新規コンテンツの提供期間外であってもユーザは当該新規コンテンツを再生することができる。
【００６３】
[その他実施形態]
【００６４】
上記第１実施形態のステップＳ０６において制御部１は新規コンテンツを含む番組のロゴに所定の表示を重畳表示することとしたがこれに限られるものではない。すなわち、新規コンテンツを含む番組が特定可能であればよく、番組リストにおいて、新規コンテンツを含む番組が特定可能な所定の表示を行うこととしてもよい。第２実施形態のステップＳ２６、第３実施形態のステップＳ４６においても同様である。すなわち、第２実施形態のステップＳ２６においては、番組リストにおいて、第１の新規コンテンツを含む番組が特定可能な第１の所定表示と第２の新規コンテンツを含む番組が特定可能な第２の所定表示とを行うこととすればよい。
【００６５】
上記第１実施形態〜第３実施形態において所定の表示は番組ロゴに重畳表示することとしたが、これに限られるものではなく、選択タブにも重畳表示することとしてもよい（図１０参照）。なお、選択タブとは複数の番組リストの中から一の番組リストを選択するためにブラウザ上に表示されるタブであるが、選択タブに限られるものではなく、複数の番組リストの中から一の番組リストを選択することができるもの（グループのタイトル表示）であればその形式は特に問われない（例えばフォルダ形式等）。これにより例えば図１０においてホームページにログインしたときの初期表示ページがＡＬＬタブであっても、Ｆａｖｏｒｉｔｅｓタブに「ＮＥＷ」が重畳表示されていることにより、Ｆａｖｏｒｉｔｅｓ番組リストのいずれかの番組に新規コンテンツが含まれていることを認識することができる。
【００６６】
また、第１実施形態〜第３実施形態において、所定の表示が重畳表示される番組のタイトル表示はＦａｖｏｒｉｔｅｓ番組リストに含まれる番組のタイトル表示とし、また、上記したように、所定の表示が重畳表示される選択タブはＦａｖｏｒｉｔｅｓ番組リストを選択するための選択タブとしたがこれに限られるものではなく、任意の番組リストに含まれる番組タイトルや任意の番組リストを選択するための選択タブとしてもよい。
【００６７】
また、第１実施形態〜第３実施形態において、所定の表示として新規コンテンツの個数を示す表示を行うこととしているが、これに加え或いはこれに代えて削除された（提供が停止された）コンテンツの個数を示す表示を行うこととしてもよい。
【００６８】
また、第１実施形態〜第３実施形態において、ユーザのログイン時にはＡＬＬタブが選択され、初期画面としてコンテンツ提供装置２が提供可能な全ての番組が表示されていることとしているが、これに限られるものではない。例えば、Ｆａｖｏｒｉｔｅｓ番組リストに新規コンテンツを含む番組があるときは、自動的にＦａｖｏｒｉｔｅｓタブが選択され、Ｆａｖｏｒｉｔｅｓ番組リストを表示することとしてもよい。
【００６９】
また、第１実施形態〜第３実施形態において、コンテンツの配信形式をストリーミング配信としているが、これに限られるものではない。例えばダウンロード配信（コンテンツ再生装置１がコンテンツ提供装置２からコンテンツの全データをダウンロードする形式）であってもよい。
【産業上の利用可能性】
【００７０】
本発明は、インターネット接続機能を有し、インターネットを介して提供されるコンテンツを再生可能なコンテンツ再生装置に利用できる。
【符号の説明】
【００７１】
１      コンテンツ再生装置
２      コンテンツ提供装置
１１    制御部
１２    表示部
１３    操作部
１４    通信部
１５    記憶部
【図１】
2013187754.tif 000003
【図２】
2013187754.tif 000004
【図３】
2013187754.tif 000005
【図４】
2013187754.tif 000006
【図５】
2013187754.tif 000007
【図６】
2013187754.tif 000008
【図７】
2013187754.tif 000009
【図８】
2013187754.tif 000010
【図９】
2013187754.tif 000011
【図１０】
2013187754.tif 000012